(57)【要約】【課題】  音声信号を無線区間を介して伝送するワイヤレスオーディオ伝送システムにおいて、受信側装置が音声信号を遅滞なく受け取って再生等の処理を行い、かつ、誤りや欠落のない音声信号を受け取って記録等の処理を行うことを可能にする。【解決手段】  ワイヤレスオーディオ受信装置２０のプロセッサ２１は、再生時期に間に合うように音声信号のブロックが正常に受信された場合、その音声信号をスピーカ２４から再生するともに記録媒体２５に記録し、再生時期に間に合うように正常に受信されなかった場合には再送要求を送信し、再送されてきたブロックを記録媒体２５に記録する。【選択図】      図１
2007036759.tif 000002
【特許請求の範囲】
【請求項１】
ワイヤレスオーディオ送信装置とワイヤレスオーディオ受信装置とが無線区間を介して音声信号の授受を行うワイヤレスオーディオ伝送システムにおいて、
前記ワイヤレスオーディオ送信装置は、前記ワイヤレスオーディオ受信装置に音声信号を送信するとともに、既に送信した音声信号について前記ワイヤレスオーディオ受信装置から再送要求を受信した場合に当該音声信号を送信する手段を具備し、
前記ワイヤレスオーディオ受信装置は、前記ワイヤレスオーディオ送信装置から正常に受信することができなかった音声信号について前記ワイヤレスオーディオ送信装置に再送要求を送信する再送要求処理と、前記ワイヤレスオーディオ送信装置から前記再送要求の送信によらず正常に受信することができた音声信号を利用する第１の音声信号処理と、前記ワイヤレスオーディオ送信装置から前記再送要求の送信によらず正常に受信することができた音声信号および前記再送要求の送信により正常に受信することができた音声信号を利用する第２の音声信号処理とを実行する手段を具備することを特徴とするワイヤレスオーディオ伝送システム。
【請求項２】
無線区間を介して通信相手装置から音声信号を受信する受信手段と、
前記ワイヤレスオーディオ送信装置から正常に受信することができなかった音声信号について前記ワイヤレスオーディオ送信装置に再送要求を送信する再送要求手段と、
前記ワイヤレスオーディオ送信装置から前記再送要求の送信によらず正常に受信することができた音声信号を利用した処理を実行する第１の音声信号処理手段と、
前記ワイヤレスオーディオ送信装置から前記再送要求の送信によらず正常に受信することができた音声信号および前記再送要求の送信により正常に受信することができた音声信号を利用した処理を実行する第２の音声信号処理手段と
を具備することを特徴とするワイヤレスオーディオ受信装置。
【請求項３】
前記受信手段は、一定時間間隔で一定時間長の音声信号のブロックを前記通信相手装置から受信するものであり、
前記第１の音声信号処理手段は、一定時間間隔で、前記音声信号のブロックを、前記受信手段を介して受け取って、該ブロックを利用した処理を実行するものであり、
前記再送要求手段は、前記受信手段によって符号誤りを伴った状態で受信されたブロックおよび前記第１の音声信号処理手段によるブロックの利用時期に間に合うように受信されなかったブロックについて前記再送要求を送信することを特徴とする請求項２に記載のワイヤレスオーディオ受信装置。
【請求項４】
前記再送要求手段によって再送要求が送信された後、前記再送要求に応じて前記通信相手装置から送信されたブロックと他のブロックが前記受信手段によって受信された場合、前記第１の音声信号処理手段は、前記他のブロックを利用した処理を実行し、前記第２の音声信号処理手段は、前記再送要求に応じて送信されたブロックと前記他のブロックを利用した処理を実行することを特徴とする請求項３に記載のワイヤレスオーディオ受信装置。
【請求項５】
前記第１の音声信号処理手段は、前記音声信号を音として再生する手段であり、前記第２の音声信号処理手段は、前記音声信号を記録媒体に記録する手段であることを特徴とする請求項３または４に記載のワイヤレスオーディオ受信装置。
【請求項６】
前記第２の音声信号処理手段は、前記受信手段によって受信された音声信号のブロックを記録媒体に記録する手段であり、
前記ワイヤレスオーディオ受信装置は、前記再送要求手段によって送信された再送要求の対象となったブロックが記録されるべき前記記録媒体におけるアドレスを記憶するエラー位置記憶手段をさらに具備し、
前記第２の音声信号処理手段は、前記再送要求の対象となったブロックが前記受信手段によって受信されたときには、前記エラー位置記憶手段に記憶された当該ブロックの記録先のアドレスを求め、前記記録媒体における当該アドレスに当該ブロックを記録することを特徴とする請求項３に記載のワイヤレスオーディオ受信装置。
【請求項７】
送信対象である音声信号を一定時間長のブロックに区切り、１または複数のブロックをパケットに搭載し、無線区間を介して通信相手装置に送信する送信手段と、
過去一定個数の送信済みのブロックを記憶するバッファと、
あるブロックについての再送要求が前記通信相手装置から受信された場合に、その時点において送信する予定であったブロックと、前記バッファに記憶された再送要求の対象となったブロックとを前記送信手段に送信させる再送制御手段と
を具備することを特徴とするワイヤレスオーディオ送信装置。
【請求項８】
送信対象である音声信号を一定時間長のブロックに区切って、無線区間を介して通信相手装置に送信する送信手段と、
前記送信手段によって送信されたブロックのうち前記通信相手装置から再送要求の受信されたブロックを蓄積する再送用バッファと、
送信対象である全てのブロックが前記送信手段によって送信された後、前記再送用バッファに蓄積されたブロックを前記通信相手装置に送信する再送手段と
を具備することを特徴とするワイヤレスオーディオ送信装置。
【発明の詳細な説明】
【技術分野】
【０００１】
この発明は、ワイヤレスマイクなどを利用したワイヤレスオーディオ伝送システム並びに同システムに用いられるワイヤレスオーディオ送信装置およびワイヤレスオーディオ受信装置に関する。
【背景技術】
【０００２】
コンサート会場などにおいて、ワイヤレスマイクを用いたワイヤレスオーディオ伝送システムが利用される場合が多い。このシステムでは、演奏音や歌唱音をワイヤレスマイクにより収音され、ワイヤレスマイクから得られる音声信号が例えばアンプ、スピーカなどからなる音響再生装置により再生され、録音装置により録音される。ここで、ワイヤレスマイクは、アンプとの間のケーブル配線が不要であるため、歌唱者や演奏者はこれを携帯して自由に動き回ることができ、また、音響再生装置や録音装置は、任意の位置のワイヤレスマイクから音声信号を受信し、これを再生し、あるいは録音することができる。このように、現存するワイヤレスマイクは取り扱いが便利であるが、その一方、ノイズや音切れが発生し易い問題がある。こういった問題を解決する手段として、ワイヤレスマイクから出力される音声信号の伝送系に誤り訂正機能を設けることが考えられる。なお、誤り訂正機能を設けたワイヤレスオーディオ伝送システムについては例えば特許文献１に開示されている。
【特許文献１】特開平１０−１５０６９２号公報
【発明の開示】
【発明が解決しようとする課題】
【０００３】
ところで、上述したワイヤレスオーディオ伝送システムの伝送系に誤り訂正機能を設けると、受信側において音声信号の誤りや欠落のない高品質の録音を行うことができるが、伝送遅延が大きくなるため、ワイヤレスマイクから受信される音声信号のモニタや音響再生装置による会場内への音声出力など、リアルタイム性を必要とする処理に支障を来たすという問題が生じる。
【０００４】
この発明は、以上説明した事情に鑑みてなされたものであり、音声信号を無線区間を介して伝送するワイヤレスオーディオ伝送システムにおいて、受信側装置が音声信号を遅滞なく受け取って再生等の処理を行い、かつ、誤りや欠落のない音声信号を受け取って記録等の処理を行うことを可能にするための技術的手段を提供することを目的とする。
【課題を解決するための手段】
【０００５】
この発明は、ワイヤレスオーディオ送信装置とワイヤレスオーディオ受信装置とが無線区間を介して音声信号の授受を行うワイヤレスオーディオ伝送システムにおいて、前記ワイヤレスオーディオ送信装置は、前記ワイヤレスオーディオ受信装置に音声信号を送信するとともに、既に送信した音声信号について前記ワイヤレスオーディオ受信装置から再送要求を受信した場合に当該音声信号を送信する手段を具備し、前記ワイヤレスオーディオ受信装置は、前記ワイヤレスオーディオ送信装置から正常に受信することができなかった音声信号について前記ワイヤレスオーディオ送信装置に再送要求を送信する再送要求処理と、前記ワイヤレスオーディオ送信装置から前記再送要求の送信によらず正常に受信することができた音声信号を利用する第１の音声信号処理と、前記ワイヤレスオーディオ送信装置から前記再送要求の送信によらず正常に受信することができた音声信号および前記再送要求の送信により正常に受信することができた音声信号を利用する第２の音声信号処理とを実行する手段を具備することを特徴とするワイヤレスオーディオ伝送システム並びに同システムに用いるワイヤレスオーディオ受信装置およびワイヤレスオーディオ送信装置を提供する。
かかる発明によれば、ワイヤレスオーディオ受信装置では、第１の音声信号処理は、再送要求の送信によらず受信された音声信号を利用し、リアルタイム性に優れた態様で実行され、第２の音声信号処理は、再送要求の送信により受信された音声信号をも含む誤りや欠落のない音声信号を利用して実行される。従って、この発明によれば、音声信号の受信側においてリアルタイム性の要求される音声信号処理と受信音声信号の品質が要求される音声信号処理とを両立させることができる。
【発明を実施するための最良の形態】
【０００６】
以下、図面を参照し、この発明の実施の形態を説明する。
図１はこの発明の一実施形態であるワイヤレスオーディオ伝送システムの構成を示すブロック図である。このワイヤレスオーディオ伝送システムは、無線区間を介して通信を行うワイヤレスオーディオ送信装置１０とワイヤレスオーディオ受信装置２０とにより構成されている。ワイヤレスオーディオ送信装置１０において、マイク１１は、外界の音を拾い、アナログ音声信号を出力する装置である。Ａ／Ｄ変換器１２は、マイク１１から出力されるアナログ音声信号をデジタル音声信号に変換する装置である。プロセッサ１３は、ワイヤレスオーディオ送信装置１０内の各部を制御する装置である。無線送受信部１４は、プロセッサ１３による制御の下、ワイヤレスオーディオ受信装置２０と無線通信を行う装置であり、プロセッサ１３を介して与えられるデジタル信号によりキャリアを変調して送信するとともに、ワイヤレスオーディオ受信装置２０から受信される信号からデジタル信号を復調してプロセッサ１３に引き渡す。
【０００７】
本実施形態では、ワイヤレスオーディオ受信装置２０からワイヤレスオーディオ送信装置１０に対し、一定時間Ｔ毎に送信要求が送信される。この送信要求は、デジタル音声信号を搭載したパケットの送信タイミングをワイヤレスオーディオ送信装置１０に対して指示する送信クロックとしての役割を果たす。プロセッサ１３は、Ａ／Ｄ変換器１２から得られるデジタル音声信号を一定時間Ｔの長さのブロックに区分し、このブロックに対して、誤り検出符号の付加または冗長度の低い誤り訂正符号化など、リアルタイム性を損なわない簡単な処理を施す。そして、プロセッサ１３は、無線送受信部１４を介して送信要求を受信する度に、このような処理を経たデジタル音声信号のブロックとブロックの時間的順序を示すＩＤ（例えば通し番号）をパケットに組み込んで、無線送受信部１４によりワイヤレスオーディオ受信装置２０に送信する。本実施形態では、ワイヤレスオーディオ送信装置１０がパケットに搭載すべきブロックのＩＤは、送信要求に含めてワイヤレスオーディオ受信装置２０からワイヤレスオーディオ送信装置１０に送信される。プロセッサ１３は、この送信要求に含まれるＩＤをブロックともにパケットに含めて無線送受信部１４によりワイヤレスオーディオ受信装置２０に送信する。
【０００８】
本実施形態では、既にワイヤレスオーディオ受信装置２０に対して送信されたブロックのＩＤを含む送信要求がワイヤレスオーディオ送信装置１０に届く場合がある。これは送信済みのブロックの再度の送信を要求する再送要求である。このような再送要求に応えるため、ワイヤレスオーディオ送信装置１０からワイヤレスオーディオ受信装置２０への送信に用いる通信チャネルとして、一定時間Ｔの周期に１個のブロックを送信するのに必要な帯域（すなわち、再送を伴わないデジタル音声信号のリアルタイム伝送のみに必要な帯域）の２倍程度の帯域を有するものが確保されている。また、プロセッサ１３は、このような再送要求に応えるため、ワイヤレスオーディオ受信装置２０に送った過去一定個数のブロックを内蔵のバッファに記憶する。そして、プロセッサ１３は、あるブロックを指定した再送要求がワイヤレスオーディオ受信装置２０から受信された場合には、そのブロックをバッファから取り出し、その時点において送信すべきブロックとこのバッファから取り出したブロックの両方を含むパケットを無線送受信部１４によりワイヤレスオーディオ受信装置２０に送信する。これがプロセッサ１３の再送制御手段としての機能である。
【０００９】
次にワイヤレスオーディオ受信装置２０の構成について説明する。プロセッサ２１は、ワイヤレスオーディオ受信装置２０内の各部を制御する装置である。無線送受信部２２は、プロセッサ２１による制御の下、ワイヤレスオーディオ送信装置１０と無線通信を行う装置であり、プロセッサ２１を介して与えられるデジタル信号によりキャリアを変調して送信するとともに、ワイヤレスオーディオ送信装置１０から受信される信号からデジタル信号を復調してプロセッサ２１に引き渡す。プロセッサ２１により実行される処理のうち主要なものとして、再送要求処理と、第１の音声信号処理と、第２の音声信号処理とがある。
【００１０】
プロセッサ２１は、上述したブロックの送信要求を一定時間Ｔの間隔で無線送受信部２２によりワイヤレスオーディオ送信装置１０に送信する。再送要求処理では、この送信要求の送信後、送信要求により要求したブロックを含むパケットを正常に受信することができたか否かを判断し、正常に受信することができなかったブロックについて無線送受信部２２により再送要求を送信する。本実施形態において、あるブロックを正常に受信することができたとは、そのブロックが訂正不能な符号誤りを伴うことなく第１の音声信号処理の利用時期に間に合うように受信されることを意味する。
【００１１】
第１の音声信号処理は、リアルタイム性の要求される処理であり、具体的には無線送受信部２２により受信されるパケットからデジタル音声信号のブロックを取り出し、これをＤ／Ａ変換器２３に送ってアナログ音声信号に変換させ、スピーカ２４から音として出力させる処理である。本実施形態における第１の音声信号処理では、ブロックの利用時期（本実施形態ではブロックの再生開始時期）に間に合い、かつ、誤りのない正常な状態でブロックが受信された場合に一定時間Ｔを掛けてそのブロック内のデジタル音声信号をＤ／Ａ変換器２３に送る。一方、利用時期に間に合うようにブロックが受信されなかった場合またはブロックは受信されたがブロックに訂正不能な誤りがある場合、１ブロックの時間長Ｔに相当する期間、無音データをＤ／Ａ変換器２３に送る。
【００１２】
第２の音声信号処理は、リアルタイム性よりも品質が要求される処理、具体的には、受信したデジタル音声信号を記録媒体２５に記録する処理である。この記録される情報の品質を保証するため、第２の音声信号処理では、利用時期に間に合うようにワイヤレスオーディオ送信装置１０から正常に受信することができたブロックと再送要求に応じてワイヤレスオーディオ送信装置１０から正常に受信することができたブロックとを記録媒体２５に格納する。
【００１３】
図２は本実施形態の動作例を示すシーケンス図である。この動作例において、ワイヤレスオーディオ受信装置２０は、電源が投入されると、一定時間Ｔの間隔で、送信要求をワイヤレスオーディオ送信装置１０に送信する。この送信要求は、ワイヤレスオーディオ送信装置１０に送信を要求するブロックのＩＤを含んでいる。図２に示された最初の送信要求ＴｘＲｅｑｕｅｓｔ（Ｎ）は、ＩＤがＮであるブロックの送信を要求するものである。
【００１４】
ワイヤレスオーディオ送信装置１０では、この送信要求ＴｘＲｅｑｕｅｓｔ（Ｎ）が無線送受信部１４により受信されると、プロセッサ１３は、ＩＤ＝Ｎのブロックを未だ送信していないか否かを判断し、未送信である場合には、その時点において誤り検出符号の付加または誤り訂正符号化を経た最新のデジタル音声信号のブロックとＩＤ＝Ｎとを含むパケットＡｕｄｉｏＤａｔａ（Ｎ）を生成し、これを無線送受信部１４によりワイヤレスオーディオ受信装置２０に送る。また、その際にプロセッサ１３は、送信したブロックとＩＤ＝Ｎとを対応付けて内蔵のバッファに格納する。
【００１５】
ワイヤレスオーディオ受信装置２０では、無線送受信部２２によってパケットＡｕｄｉｏＤａｔａ（Ｎ）が受信されると、プロセッサ２１は、このパケットＡｕｄｉｏＤａｔａ（Ｎ）からデジタル音声信号のブロックを取り出して誤り検出または誤り訂正復号化を行う。この例では、デジタル音声信号は、第１の音声信号処理の利用時期に間に合うように、かつ、誤りを伴うことなく受信されたため、プロセッサ２１は、デジタル音声信号をＤ／Ａ変換器２３に送ってスピーカ２４から音として出力させるとともに、記録媒体２５に書き込む。また、プロセッサ２１は、誤りのないＩＤ＝Ｎのブロックを第１の音声信号処理の利用時期に間に合うように受信することができたことから、ＩＤ＝Ｎ＋１のブロックを要求する送信要求ＴｘＲｅｑｕｅｓｔ（Ｎ＋１）を無線送受信部２２により送信する。
【００１６】
ワイヤレスオーディオ送信装置１０は、この送信要求ＴｘＲｅｑｕｅｓｔ（Ｎ＋１）を受信すると、上述した送信要求ＴｘＲｅｑｕｅｓｔ（Ｎ）の場合と同様、その時点における最新のデジタル音声信号のブロックとＩＤ＝Ｎ＋１とを含むパケットＡｕｄｉｏＤａｔａ（Ｎ＋１）を生成し、ワイヤレスオーディオ受信装置２０に送る。
【００１７】
図２に示す例では、ワイヤレスオーディオ受信装置２０は、このパケットＡｕｄｉｏＤａｔａ（Ｎ＋１）の受信に失敗する。このため、ワイヤレスオーディオ受信装置２０において、プロセッサ２１は、受信に失敗したＩＤ＝Ｎ＋１のブロックを要求する送信要求ＴｘＲｅｑuｅｓｔ（Ｎ＋１）を無線送受信部２２により送信する。この送信要求ＴｘＲｅｑuｅｓｔ（Ｎ＋１）は、同じブロックについての２度目の送信要求であるから、上述した再送要求に当たる。なお、この再送要求の送信に関する具体的な判断手法については後述する。
【００１８】
ワイヤレスオーディオ送信装置１０のプロセッサ１３は、上述したパケットＡｕｄｉｏＤａｔａ（Ｎ＋１）の送信が行われた後、ＩＤ＝Ｎ＋２のブロックを要求する送信要求ＴｘＲｅｑuｅｓｔ（Ｎ＋２）が受信されるのを期待して待機している。しかし、この例では、送信要求ＴｘＲｅｑｕｅｓｔ（Ｎ＋１）が無線送受信部１４により受信される。このため、プロセッサ１３は、送信要求ＴｘＲｅｑｕｅｓｔ（Ｎ＋１）が再送要求であることを検知する。この場合、プロセッサ１３は、内蔵のバッファからＩＤ＝Ｎ＋１のブロックを読み出し、その時点においてＡ／Ｄ変換器１２から得られた最新のデジタル音声信号のブロック（ＩＤ＝Ｎ＋２のブロック）をこれに追加する。そして、両ブロックとともに、ＩＤとしてＮ＋１およびＮ＋２の両方を含むパケットＡｕｄｉｏＤａｔａＥｘ（Ｎ＋１、Ｎ＋２）を生成し、これを無線送受信部１４によりワイヤレスオーディオ受信装置２０に送る。
【００１９】
ワイヤレスオーディオ受信装置２０では、無線送受信部２２によってパケットＡｕｄｉｏＤａｔａＥＸ（Ｎ＋１、Ｎ＋２）が受信されると、プロセッサ２１は、このパケットＡｕｄｉｏＤａｔａＥＸ（Ｎ＋１、Ｎ＋２）が２つのＩＤと２つのブロックを含んでいることを検知し、それらのうちのＩＤ＝Ｎ＋１のブロックが再送ブロックであることを検知する。そして、プロセッサ２１は、パケットＡｕｄｉｏＤａｔａＥＸ（Ｎ＋１、Ｎ＋２）から２つのブロックを取り出して誤り検出または誤り訂正復号化を行う。２つのブロックに誤りがない場合、プロセッサ２１は、ＩＤ＝Ｎ＋２のブロックをＤ／Ａ変換器２３に送ってスピーカ２４から音として出力させるとともに、ＩＤ＝Ｎ＋１のブロックおよびＩＤ＝Ｎ＋２のブロックを記録媒体２５に書き込む。そして、プロセッサ２１は、ＩＤ＝Ｎ＋１、Ｎ＋２のブロックの受信に成功したことから、ＩＤ＝Ｎ＋３のブロックを要求する送信要求ＴｘＲｅｑｕｅｓｔ（Ｎ＋３）を無線送受信部２２により送信する。以後、同様の動作がワイヤレスオーディオ送信装置１０およびワイヤレスオーディオ受信装置２０間で繰り返される。
【００２０】
次にワイヤレスオーディオ受信装置２０における再送要求の送信に関する具体的な判断手法について説明する。ブロックの受信の失敗には、２つの態様がある。第１の態様は、訂正不能な誤りの発生した状態でブロックが届く態様であり、第２の態様は、伝送過程においてブロックを搭載したパケットが欠落する等の理由により、ブロックが第１の音声信号処理による当該ブロックの利用（再生）時期に間に合うような適切な時期にワイヤレスオーディオ受信装置２０に届かない態様である。図３（ａ）はＩＤ＝Ｎであるブロックの受信が正常に行われた場合の動作、図３（ｂ）はＩＤ＝Ｎであるブロックに関し、第１の態様での受信失敗が生じた場合の動作、図３（ｃ）はＩＤ＝Ｎであるブロックに関し、第２の態様での受信失敗が生じた場合の動作を各々示している。
【００２１】
図３（ａ）に示すように、ワイヤレスオーディオ受信装置２０では、１ブロック当たり時間Ｔを要してデジタル音声信号の再生を行う。本実施形態では、各ブロックの再生開始時刻に対し、所定の時間Ｔａ＋Ｔｂだけ前の時刻がそのブロックを含むパケットの受信期限と定められている。ここで、Ｔａは、パケット内のデジタル音声信号のブロックの誤り検出または誤り訂正復号化など、１つのパケットの受信開始からそのパケット内のブロックの再生準備が完了するまでの所要時間である。また、Ｔｂはマージンであり、ワイヤレスオーディオ受信装置２０からワイヤレスオーディオ送信装置１０に送信要求または再送要求が送られてから、ワイヤレスオーディオ送信装置１０によって該当するパケットの送信が行われ、そのパケットがワイヤレスオーディオ受信装置２０に届くまでの所要時間であるラウンドトリップタイムよりも充分に長い時間に設定されている。あるブロックの再生開始時刻のＴａ＋Ｔｂだけ前の時刻をそのブロックの受信期限としているのは、この期限よりも後に該当ブロックを含むパケットが受信された場合には、そのブロックの後続ブロックの送信要求を送信することができるのは、その後続ブロックの再生開始時刻のＴｂだけ前よりも後になってしまい、これでは後続ブロックの受信が遅れ、後続ブロックの再生開始時刻に間に合わなくなる可能性があるからである。
【００２２】
図３（ａ）に示す例では、ＩＤ＝Ｎであるブロックが、同ブロックの再生開始時刻の丁度Ｔａ＋Ｔｂだけ前に受信されており、かつ、誤りのないブロックが取得された。このため、ワイヤレスオーディオ受信装置２０のプロセッサ２１は、ＩＤ＝Ｎであるブロックの再生開始時刻のＴｂだけ前の時刻において、ワイヤレスオーディオ送信装置１０にＩＤ＝Ｎ＋１のブロックを要求する送信要求ＴｘＲｅｑｕｅｓｔ（Ｎ＋１）を送信する。そして、ＩＤ＝Ｎ−１であるブロックを再生し終えた後、ＩＤ＝Ｎであるブロックを再生する。
【００２３】
また、図３（ｂ）に示す例では、ＩＤ＝Ｎであるブロックを含むパケットが、同ブロックの再生開始時刻の丁度Ｔａ＋Ｔｂだけ前に受信されたが、受信パケット内のブロックに訂正不能な誤りがあることが判明した。このため、ワイヤレスオーディオ受信装置２０のプロセッサ２１は、ＩＤ＝Ｎのブロックの再生開始時刻のＴｂだけ前の時刻において、ワイヤレスオーディオ送信装置１０にＩＤ＝Ｎのブロックについての再送要求ＴｘＲｅｑｕｅｓｔ（Ｎ）を送信する。そして、ＩＤ＝Ｎ−１であるパケット内のブロックを再生し終えた後、ＩＤ＝Ｎであるブロックの代わりに無音データを再生する。
【００２４】
また、図３（ｃ）に示す例では、ＩＤ＝Ｎであるブロックを含むパケットが、同ブロックの再生開始時刻のＴａ＋Ｔｂだけ前の時刻になっても届かない。そこで、ワイヤレスオーディオ受信装置２０のプロセッサ２１は、ＩＤ＝Ｎであるブロックの再生開始時刻のＴｂだけ前の時刻において、ワイヤレスオーディオ送信装置１０にＩＤ＝Ｎのブロックについての再送要求ＴｘＲｅｑｕｅｓｔ（Ｎ）を送信し、ＩＤ＝Ｎ−１であるブロックを再生し終えた後は無音データを再生する。
【００２５】
以上のように、ワイヤレスオーディオ受信装置２０では、再生開始に間に合うようなタイミングで正常に受信されたブロックは、予定された再生開始時刻において再生され、再生開始に間に合うようなタイミングで正常に受信されないブロックは再送要求の対象とされ、そのブロックの代わりに無音データが再生される。ここで、各ブロックとその受信期限との間の時間Ｔａ＋Ｔｂは、１パケット分の受信、誤り検出等の所要時間とラウンドトリップタイムの総和以上であればよいので、充分に短くすることが可能である。従って、ワイヤレスオーディオ送信装置１０のマイク１１によって音が拾われてからその音がワイヤレスオーディオ受信装置２０のスピーカ２４から再生されるまでの遅延を充分に短くすることができる。一方、再生開始に間に合うようなタイミングで正常に受信されなかったブロックについては、再送要求がワイヤレスオーディオ送信装置１０に送られ、ワイヤレスオーディオ受信装置２０では、この再送要求に応じて再送されたブロックが誤り検出等の処理を経て記録媒体２５に記録される。従って、記録媒体２５に記録されるデジタル音声信号は、欠落および誤りのない高品質なものとなる。
【００２６】
＜第２実施形態＞
図４は、この発明の第２実施形態であるワイヤレスオーディオ伝送システムの構成を示すブロック図である。本実施形態において、ワイヤレスオーディオ送信装置１０Ａおよびワイヤレスオーディオ受信装置２０Ａは、上記第１実施形態におけるものと基本的に同様なハードウェア構成を有しているが、各々のプロセッサ（図４では図示略）によって行われる処理の内容が上記第１実施形態と異なっている。図４では、ワイヤレスオーディオ送信装置１０Ａおよびワイヤレスオーディオ受信装置２０Ａを示す各ボックスの中に、これらの装置のプロセッサによって実行される処理の内容が図示されている。
【００２７】
上記第１実施形態と同様、ワイヤレスオーディオ受信装置２０Ａは、一定時間Ｔの間隔で、ブロックのＩＤをインクリメントしつつ、このブロックのＩＤを含む送信要求をワイヤレスオーディオ送信装置１０Ａに送り、ブロックの受信・再生・記録処理２０１、結果報告処理２０２およびエラー位置記憶処理２０３を実行する。ブロックの受信・再生・記録処理２０１では、送信要求に応じてワイヤレスオーディオ送信装置１０Ａから送信されたパケットを受信し、ブロックの利用時期に間に合うように同ブロックを含むパケットが正常に受信された場合にはそのブロックを再生し、かつ、記録媒体２５に記録する。また、結果報告処理２０２では、利用時期に間に合うようにブロックが正常に受信されたか否かの結果報告を、ワイヤレスオーディオ送信装置１０Ａに対して送信する。なお、この結果報告は、送信要求に含めて送るようにしてもよい。そして、エラー位置記憶処理２０３では、あるブロックが利用時期に間に合うように正常に受信されなかった場合に、そのブロックを格納するはずであった記録媒体２５内のアドレスであるエラー位置をそのブロックのＩＤに対応付けて記憶しておくのである。
【００２８】
ワイヤレスオーディオ送信装置１０Ａでは、ブロック送信処理１０１において、送信要求のあったブロックを搭載したパケットを送信するとき、同ブロックとそのＩＤを一時記憶用のバッファ１０２に格納する。そして、再送準備処理１０３では、ワイヤレスオーディオ受信装置２０Ａからの結果報告を待ち、バッファ１０２内のブロックが利用時期に間に合うように正常に受信されなかった旨の結果報告が届いた場合には、同ブロックとそのＩＤを再送用バッファ１０４に蓄積する。そして、ワイヤレスオーディオ受信装置２０Ａに送るべき全てのブロックの送信を終えると、ワイヤレスオーディオ送信装置１０Ａは、ブロック再送処理１０５を実行し、再送用バッファ１０４に蓄積された各ブロックをＩＤとともにパケットに搭載して順次送信する。このときワイヤレスオーディオ受信装置２０Ａは、再送ブロックの受信・記録処理２０４を実行する。この処理では、ワイヤレスオーディオ送信装置１０Ａからパケットを受信すると、誤り検出または誤り訂正符号化を実施し、訂正不能な誤りがある場合にはワイヤレスオーディオ送信装置１０Ａにそのパケットの再送を要求する。パケットが正常に受信された場合には、同パケットからブロックとＩＤを取り出し、上述したエラー位置記憶処理２０３において記憶したアドレスの中から同ブロックのＩＤに対応付けられたアドレスを求め、記録媒体２５における該当アドレスに同ブロックを格納する。
【００２９】
本実施形態では、ワイヤレスオーディオ受信装置２０Ａが受信を失敗したブロックを蓄積するための再送用バッファ１０４をワイヤレスオーディオ送信装置１０Ａに設ける必要がある。しかし、受信に失敗したブロックの再送は、全てのブロックの送信が終わった後に行うので、ワイヤレスオーディオ送信装置１０からワイヤレスオーディオ受信装置２０への送信に用いる通信チャネルとして、一定時間Ｔの周期に１個のブロックを送信するのに必要な帯域を有するものを確保すれば足りるという利点がある。
【００３０】
以上、この発明の第１実施形態および第２実施形態について説明したが、この発明にはこれ以外にも他の実施形態が考えられる。例えば次の通りである。
（１）上記第１実施形態および第２実施形態では、ワイヤレスオーディオ受信装置が１台のワイヤレスオーディオ送信装置からデジタル音声信号のブロックを順次受信し、その再生および記録を行ったが、ワイヤレスオーディオ受信装置が、複数台のワイヤレスオーディオ送信装置からデジタル音声信号のブロックを受信し、受信したデジタル音声信号を合成して再生し、記録を行うようにしてもよい。
【００３１】
（２）上記第１実施形態および第２実施形態において、ワイヤレスオーディオ送信装置は、送信要求を受け取ってブロック（例えばＩＤ＝Ｎ）を送信した後、時間Ｔ＋ΔＴ（ΔＴは送信要求の到来タイミングのジッタの許容範囲よりやや長めの時間）が経過しても次の送信要求が受信されない場合に、後続のブロック（ＩＤ＝Ｎ＋１）を送信するようにしてもよい。この場合において、後続のブロック（ＩＤ＝Ｎ＋１）の送信後、先行するブロック（ＩＤ＝Ｎ）の再送を要求する送信要求が受信された場合には、そのブロック（ＩＤ＝Ｎ）をその後のブロック（ＩＤ＝Ｎ＋２）とともにパケットに搭載して、ワイヤレスオーディオ受信装置に送るようにしてもよい。この態様によれば、ワイヤレスオーディオ受信装置から送信される送信要求がその伝送過程において消失した場合にも、ワイヤレスオーディオ送信装置において発生したブロックを漏れなくワイヤレスオーディオ受信装置に送ることができる。
【００３２】
（３）上記第１実施形態では、ワイヤレスオーディオ受信装置が１個のブロックの受信を失敗した場合、ワイヤレスオーディオ送信装置は、その受信が失敗した１個のブロック全体を、その後のブロックを搭載する１個のパケットに搭載してワイヤレスオーディオ受信装置に送信した。しかし、そのようにする代わりに、受信が失敗した１個のブロックを複数に分割し、複数のパケットに分けてワイヤレスオーディオ受信装置に送るようにしてもよい。
【００３３】
（４）上記第１実施形態および第２実施形態では、ワイヤレスオーディオ受信装置がワイヤレスオーディオ送信装置に対して、一定時間Ｔの間隔で、送信タイミングを指示する送信要求を送信した。しかし、ワイヤレスオーディオ受信装置が定期的に送信要求を送信するのではなく、ワイヤレスオーディオ送信装置が、一定時間Ｔの間隔で、自発的にブロックとＩＤを発生し、これらを含むパケットをワイヤレスオーディオ受信装置に送り、ワイヤレスオーディオ受信装置から再送すべきブロックのＩＤの指定を伴う再送要求を受け取った場合に、そのブロックを再送するようにしてもよい。この再送は、上記第１実施形態のように、後続のブロックとともに同一パケットに含めてワイヤレスオーディオ受信装置に送るようにしてもよいし、上記第２実施形態のように、全てのブロックについての送信終了後、再送要求のあったブロックをまとめて再送するようにしてもよい。
【００３４】
（５）上記第１実施形態および第２実施形態では、第１の音声信号処理によるブロックの利用時期に間に合わせるため、ブロックの送信要求を１ブロックの時間長に相当する一定時間Ｔ毎にワイヤレスオーディオ受信装置からワイヤレスオーディオ送信装置に送り、ワイヤレスオーディオ受信装置においては、ブロックの受信期限を設け、この受信期限内に受信されなかったブロックを再送要求の対象とした。しかし、ワイヤレスオーディオ受信装置において、ジッタ吸収用バッファを設け、ワイヤレスオーディオ送信装置から受信されたブロックを一旦このバッファに格納し、このバッファからブロックを順次取り出して第１の音声信号処理に利用するのであれば、ブロックの送信要求を一定時間間隔で送信する必要もなく、また、ブロックの受信期限を設けなくてもよい。この場合、ワイヤレスオーディオ受信装置では、ワイヤレスオーディオ送信装置から受信されるブロックのＩＤを監視し、例えばＩＤ＝Ｎのブロックが受信された後、ＩＤ＝Ｎ＋２のブロックが受信された場合には、ＩＤ＝Ｎ＋１のブロックについての再送要求を送信し、ＩＤ＝Ｎのブロックをバッファから取り出して第１の音声信号処理を行った後、１ブロック分の無音データを用いて第１の音声信号処理を実行し、その後、ＩＤ＝Ｎ＋２のブロックをバッファから取り出して第１の音声信号処理を実行するようにすればよい。
【図面の簡単な説明】
【００３５】
【図１】この発明の第１実施形態であるワイヤレスオーディオ伝送システムの構成を示すブロック図である。
【図２】同実施形態の動作例を示すシーケンス図である。
【図３】同実施形態における再送要求の送信に関する具体的な判断手法を示すタイムチャートである。
【図４】この発明の第２実施形態であるワイヤレスオーディオ伝送システムの構成を示すブロック図である。
【符号の説明】
【００３６】
１０，１０Ａ……ワイヤレスオーディオ送信装置、２０，２０Ａ……ワイヤレスオーディオ受信装置、１１……マイク、１２……Ａ／Ｄ変換器、１３……プロセッサ、１４……無線送受信部、２１……プロセッサ、２２……無線送受信部、２３……Ｄ／Ａ変換器、２４……スピーカ、２５……記録媒体。
【図１】
2007036759.tif 000003
【図２】
2007036759.tif 000004
【図３】
2007036759.tif 000005
【図４】
2007036759.tif 000006